(57)【特許請求の範囲】
【請求項１】
商品収納庫の断熱扉を透明な部材にて構成し、商品ディスプレイの透明パネル越しに前記商品収納庫に収納されている商品が視認可能とされた販売機において、
前記商品収納庫内を加温商品収納用の加温庫と冷却商品収納用の冷却庫とに区画する区画壁と、前記断熱扉を構成する二枚の透明板と、これら透明板間に形成された空気層と、前記透明板間に設けられ、前記加温庫の前面に対向する前記空気層と前記冷却庫の前面に対向する前記空気層との間を仕切る仕切部材とを備え、この仕切部材を樹脂材料にて成形したことを特徴とする販売機。
【請求項２】
仕切部材内に乾燥剤を充填すると共に、この仕切部材にはその長手方向に渡って隙間を形成し、この隙間にて相対向する前記仕切部材の壁厚を、当該隙間に向けて徐々に薄くなる形状としたことを特徴とする請求項１の販売機。
【請求項３】
仕切部材には、隙間の一部に介在するスペーサを設けたことを特徴とする請求項２の販売機。
【請求項４】
スペーサは弾性薄板から構成され、仕切部材の隙間内に位置する介在部と、前記仕切部材内の乾燥剤中に埋設される埋設部と、この埋設部の一部をその端部から前記介在部に向けて斜めに延在する折曲線にて鈍角で折曲することにより形成された折曲部とを備えていることを特徴とする請求項３の販売機。
【発明の詳細な説明】
【０００１】
【発明の属する技術分野】
本発明は、収納した商品及びその販売動作が外部から見える所謂シースルー形式によるショーケースや自動販売機などの販売機に関するものである。
【０００２】
【従来の技術】
上記シースルー形式の販売機としては、従来より以下に述べる如き缶飲料用の自動販売機が知られている。即ち、係る自動販売機では、本体内に構成された商品収納庫に合わせて、メインドアの商品ディスプレイを大きく形成すると共に、商品収納庫の断熱扉を透明な部材にて構成し、商品ディスプレイ越しに商品収納庫内の商品が見えるように構成されていた。
【０００３】
【発明が解決しようとする課題】
このようなシースルー形式の従来の自動販売機において、冷却商品と加温商品を同時販売する場合、商品収納庫内を区画壁にて区画して冷却庫と加温庫を形成し、それらに各商品をそれぞれ収納することになるが、これら冷却庫と加温庫の前面を一枚の透明ガラスを用いた断熱扉にて閉塞すると、冷却庫と加温庫との温度差より、透明ガラスから外部への熱リークが大きくなる。また、強度上の問題も生じる。
【０００４】
係る問題は、断熱扉を二枚の透明ガラスにて構成することにより解決可能であるが、上記の如き冷却庫と加温庫との温度差によって、今度は両ガラス間に形成される空気層内に熱の対流が発生し、熱リークが生じて、特に冷却庫の冷却性能が悪化する問題が生じていた。
本発明は、係る従来の技術的課題を解決するために成されたものであり、加温庫と冷却庫を備えて内部商品を視認可能とした販売機の、特に断熱扉の断熱性能を向上させることを目的とする。
【０００５】
【課題を解決するための手段】
本発明の販売機は、商品収納庫の断熱扉を透明な部材にて構成し、商品ディスプレイの透明パネル越しに商品収納庫に収納されている商品が視認可能とされたものであって、商品収納庫内を加温商品収納用の加温庫と冷却商品収納用の冷却庫とに区画する区画壁と、断熱扉を構成する二枚の透明板と、これら透明板間に形成された空気層と、透明板間に設けられ、加温庫の前面に対向する空気層と冷却庫の前面に対向する空気層との間を仕切る仕切部材とを備えており、この仕切部材を樹脂材料にて成形したものである。
【０００６】
本発明によれば、断熱扉を二枚の透明板にて構成すると共に、これら透明板間に空気層を形成し、加温庫の前面に対向する空気層と冷却庫の前面に対向する空気層との間を仕切る仕切部材を透明板間に設けたので、二枚の透明板間の空気層内における熱の対流が阻止される。
特に、仕切部材は樹脂材料にて成形されているので、仕切部材自体を伝導する熱の移動も最小限に抑えられる。
【０００７】
従って、本発明によれば商品収納庫内の商品陳列効果の向上とコストの低減を図りつつ、隣接する加温庫と冷却庫間の熱リークを極めて有効に防止若しくは抑制し、断熱性能の向上を図ることが可能となるものである。
請求項２の発明の販売機は、上記において仕切部材内に乾燥剤を充填すると共に、この仕切部材にはその長手方向に渡って隙間を形成し、この隙間にて相対向する仕切部材の壁厚を、当該隙間に向けて徐々に薄くなる形状としたものである。
【０００８】
請求項２の発明によれば、上記に加えて仕切部材内に乾燥剤を充填すると共に、この仕切部材にはその長手方向に渡って隙間を形成したので、二枚の透明板間の空気層内の水分を乾燥剤により隙間から吸収して、曇りや結露の発生を未然に回避することが可能となる。
特に、隙間にて相対向する仕切部材の壁厚を、当該隙間に向けて徐々に薄くなる形状としたので、隙間の両壁の先端は線に近い極めて小さな面積で対向するかたちとなる。従って、樹脂で成形された仕切部材自体に成形誤差や熱による収縮が生じ、両壁の先端が隙間を狭める方向に変位したとしても、隙間全体が閉塞されてしまう危険性を最小限に抑えることが可能となる。これにより、断熱性能の向上を図りつつ、空気層内の水分吸収効果を良好に維持することができるようになるものである。
【０００９】
請求項３の発明の販売機は、上記において仕切部材には、隙間の一部に介在するスペーサを設けたものである。
請求項３の発明によれば、上記に加えて仕切部材には、隙間の一部に介在するスペーサを設けたので、前述の如き仕切部材の成形誤差や収縮が生じても、少なくともスペーサの周囲においては隙間が確保されるようになる。従って、空気層内の水分吸収効果を一層確実に維持することができるようになるものである。
【００１０】
請求項４の発明の販売機は、上記においてスペーサは弾性薄板から構成され、仕切部材の隙間内に位置する介在部と、仕切部材内の乾燥剤中に埋設される埋設部と、この埋設部の一部をその端部から介在部に向けて斜めに延在する折曲線にて鈍角で折曲することにより形成された折曲部とを備えているものである。
請求項４の発明によれば、上記に加えてスペーサは弾性薄板から構成され、仕切部材の隙間内に位置する介在部と、仕切部材内の乾燥剤中に埋設される埋設部と、この埋設部の一部をその端部から介在部に向けて斜めに延在する折曲線にて鈍角で折曲することにより形成された折曲部とを備えているので、埋設部側から隙間内にスペーサを挿入することにより、折曲部はその弾性にて徐々に隙間の延在方向に変形されてそのまま仕切部材内に挿入されると共に、介在部は隙間内に配置されるようになる。
【００１１】
従って、スペーサを仕切部材に極めて容易に取り付けることができるようになる。
特に、折曲部は仕切部材内に入った後、当初の折曲位置に復元するが、このとき折曲部は埋設部の端部から介在部に向けて斜めに延在する折曲線にて折曲されており、仕切部材の長手方向及び隙間の開口方向に所定の投影面積を持つことになるので、その後は乾燥剤にて安定的に保持され、脱落や位置ずれなどの不都合が生じる危険性を未然に回避することができるようになるものである。
【００１２】
【発明の実施の形態】
次に、本発明の実施形態を図面に基づき詳述する。図１は本発明の販売機の実施例としての自動販売機１の正面図、図２は自動販売機１の縦断側面図である。
この自動販売機１は、本体２とこの本体２に一側を回動自在に枢支された開閉自在の前面扉３とから構成されている。本体２の前面扉３の後方には、前面に断熱扉４を有する商品収納庫５が形成され、商品収納庫５内には後述する如く左右方向に複数の商品ラック６が配置されている。
【００１３】
商品収納庫５の各商品ラック６には、上下方向に多数の商品コラム７が積み重なるように配置されており、商品コラム７はコラム群Ｃ１、Ｃ２として区割りし、そのコラム群Ｃ１には同一の商品Ａ１が収納され、コラム群Ｃ２には同一の商品Ａ２が収納されている。
そして、商品ラック６の商品コラム７は、図２に示すように、図示しない側板に多数の棚板８を斜めに取り付けて構成されており、これにより、商品コラム７は商品Ａ１または商品Ａ２を前後に一列に収納可能とされている。更に、商品コラム７は、前端部に設けられた商品投入口９と、後端部に設けられたベンド機構１０と、商品投入口９からベンド機構１０へ向かって低く傾斜して延在するストック通路１１とから構成されている。
【００１４】
商品ラック６の後端と商品収納庫５の後壁５ａとの間には、落下通路１２が形成され、落下通路１２の下流端には、前方に向かって低く傾斜したシュート１３が配置されている。そして、各商品コラム７から払い出された商品Ａは、落下通路１２を落下すると共に、シュート１３上を転動して、払出口１４から販売口２５に導かれるものである。
【００１５】
前記落下通路１２には、商品ラック６側に各商品コラム７の後端から吊下されるようにして可動板１５が設けられると共に、これに対応して後壁５ａ側には波板１６が設けられ、落とし込まれた商品Ａが制動されながら落下するように構成されている。
前面扉３には、断熱扉４に対応するように商品ディスプレイ１７が広く設けられており、商品ディスプレイ１７の右脇の接客部１８には、紙幣投入口１９、金銭表示器２０、硬貨投入口２１及び返却レバー２２やキー２３が設けられている。また、商品ディスプレイ１７の前面には、各コラム群Ｃの最下位の商品コラム７の最前端の商品Ａａに対応させて、選択ボタン２４が設けられている。更に、商品ディスプレイ１７の下側には、前述した販売口２５及び販売扉２６が配置され、右側には硬貨返却口２７が配置されている。
【００１６】
商品ディスプレイ１７を構成する前面パネル（透明パネル）２８は、透明なガラスやアクリル樹脂などで構成され、また、この前面パネル２８越しに見える断熱扉４も後述する如き複層構造の透明なガラスやアクリル樹脂（透明板）などで構成されている。更に、各商品コラム７を構成する棚板８も透明なガラスやアクリル樹脂などで構成されている。
【００１７】
従って、自動販売機１では商品ディスプレイ１７越しに各商品ラック６に充填した商品Ａが見えるように構成されている。即ち、自動販売機１は所謂シースルー構造とされており、ストックされている商品Ａや販売時に商品Ａが順次送られて行く様子などが外部から視認できるように構成されている。
一方、商品収納庫５内には、図３の平断面図に示す如く、内部に断熱材が充填された区画壁２９の左側に、冷却商品を収納する冷却専用庫５ｂ（冷却庫）が形成されると共に、区画壁２９と区画壁３０間に位置した中央に、冷却商品と加温商品の何れかを適宜選択して切り替え収納可能とされた冷却加温庫５ｃ（冷却庫若しくは加温庫）が形成され、区画壁３０の右側にも冷却加温庫５ｄ（冷却庫若しくは加温庫）が形成されている。
【００１８】
ここで、冷却専用庫５ｂには、前述した如く前後６列に商品Ａが収納された商品コラム７が左右に二個設けられると共に、冷却加温庫５ｃには、前後６列に商品Ａが収納された商品ラック６が一個設けられ、冷却加温庫５ｄには、前後６列に商品Ａが収納された商品コラム７が左右に二個設けられている。
断熱扉４は、前面扉３の内側において左端部に設けたヒンジ３１により回動自在に枢支されており、商品収納庫５の前方を開閉可能とする四角形状の枠体３２と、この枠体３２の内周縁に所定の間隔を存して装着された二枚の透明ガラス（透明板）３３、３４と、これら透明ガラス３３、３４間に形成された空間（空気層３５）内において枠体３２の内周縁に接するように外周を一巡して配設され、外部と断熱する外周シール部材３６と、区画壁２９、３０の前方に対応する空気層３５内に配設されて、空気層３５の熱の対流を阻止する仕切部材３７から構成されている。
【００１９】
断熱扉４の枠体３２は、図４に示す如く左側枠体３８ａと、右側枠体３８ｂと、上側枠体３９ａと、下側枠体３９ｂとから成り、それぞれのコーナーを接続部材４０にて接続して外枠を構成している。枠体３２は硬質塩化ビニルなどの樹脂により成形され、図３のＸ部分の拡大図である図５の右側に示す如く右側枠体３８ｂは、断面が四角形の中空部３８ｂ１とコ字状の凹部３８ｂ２とを有しており、他の枠体も同様の断面形状とされている。従って、枠体３２には内周縁全体にコ字状の凹部を形成されている。
【００２０】
上記枠体３２に対応して外周シール部材３６は、図４に示す如く、枠体３２の内周縁のコ字状の凹部に設けられ、左側シール部材４１、右側シール部材４２、上側シール部材４３、下側シール部材４４とから成り、図示しない樹脂製の接続部材で結合されている。
そして、例えば右側枠体３８ｂに形成された凹部３８ｂ２内にはシール材としてのコールタール４５が充填され、凹部３８ｂ２にはめ込まれた透明ガラス３３、３４の空間３５に、外周シール部材３６の一側である右側シール部材４２が設けられる。この右側シール部材４２は、細長のアルミニウム板に成形加工を施し、断面中空の四角形筒状体としたものから構成されており、筒軸（長手方向）に沿って寸法Ｚ（０．３ｍｍ〜０．５ｍｍ程）の隙間４８が形成され、内部にシリカゲルなどの粒状乾燥剤４９が充填されている。そして、他のシール部材も同様の構成とされている。従って、外周シール部材３６は、枠体３２の内周縁にシール材としてのコールタール４５を介して配設されており、それによって、外部との間の熱リークが阻止されると共に、枠体３２全体の強度が向上せられている。
【００２１】
他方、仕切部材３７は、図３のＹ部分の拡大図である図５の左側に示す如く、区画壁２９、３０の端部に設けられたパッキン４７の前方の透明ガラス３３、３４間の空気層３５に上下方向に渡って設けられている。この仕切部材３７は、硬質塩化ビニルなどの樹脂材料の押出成形にて構成されており、断面四角形状の中空筒状本体５３と、それと一体に成形され、当該本体５３内を左右に仕切る仕切部５４とから構成されている。
【００２２】
そして、この左右に仕切られた本体５３内の各空間内には前述同様の粒状乾燥剤４９が充填されると共に、左右の壁５３ａ、５３ｂの中央部には長手方向に渡って前述同様の寸法Ｚの隙間４８が形成されている。この隙間４８にて対向する壁５３ａ、５３ｂの端部は、図５に示す如くその壁厚が隙間４８に向けて徐々に薄くなる断面尖形状とされており、それらの先端が隙間４８を挟んで対向するかたちとされている。
【００２３】
そして、この仕切部材３７には図６及び図７に示す如くスペーサ５６が数個取り付けられる。このスペーサ５６は、前記隙間４８と同等の厚さの透明な弾性樹脂薄板から成り、図８乃至図１０に示す如く、略長方形の埋設部５６ａと、この埋設部５６ａの一辺中央から台形状に突出した介在部５６ｂと、この介在部５６ｂとは反対側の埋設部５６ａの上下端部から介在部５６ｂの基部両端に向けて斜めに延在する折曲線Ｌ１、Ｌ２にて埋設部５６ａの隅角部を鈍角で相互に反対側に折曲することにより形成された折曲部５６ｃ、５６ｃとから構成されている。
【００２４】
前記埋設部５６ａの奥行き寸法は、前記仕切部材３７内の仕切られた各空間の左右寸法よび若干小さい値とされている。また、折曲部５６ｃは以上の構成により、介在部５６ｂと反対側から徐々に幅が拡大する略三角形状となると共に、上下方向に所定の投影面積を持つことになる。
次に、係るスペーサ５６を取り付ける際には、図１１に示す如く介在部５６ｂと反対側の埋設部５６ａの他辺側から各隙間４８、４８内に挿入する。このとき、折曲部５６ｃ、５６ｃは幅の小さい側から隙間４８内に進入するため、その弾性にて徐々に隙間４８の延在方向（上下方向）に変形されてそのまま仕切部材３７内に挿入され、埋設部５６ａ全体が仕切部材３７内に入った段階で介在部５６ｂは隙間４８内に配置される。
【００２５】
従って、スペーサ５６の取り付けは極めて容易となると共に、係るスペーサ５６は仕切部材３７の長手方向に渡って所定間隔で数カ所取り付けられる。また、この場合、折曲部５６ｃ、５６ｃは仕切部材３７内に入った後、当初の折曲位置に復元するが、折曲部５６ｃは前述の如く仕切部材３７の長手方向及び隙間４８の開口方向に所定の投影面積を持つことになるので、その後は乾燥剤４９にて安定的に保持され、脱落や位置ずれなどの不都合が生じる危険性が無くなる。
【００２６】
このようにスペーサ５６が取り付けられた仕切部材３７、３７は、本体５３の前後壁５３ｃ、５３ｄを透明ガラス３３、３４に両面テープにて貼り付けることにより固定され、空気層３５内に配置されて、冷却専用庫５ｂの前面に対向する空気層３５と冷却加温庫５ｃの前面に対向する空気層３５、並びに、冷却加温庫５ｃの前面に対向する空気層３５と冷却加温庫５ｄの前面に対向する空気層３５の間を仕切る。
【００２７】
尚、図４に示す下側の５０〜５２は冷却専用庫５ｂ、冷却加温庫５ｃ、５ｄに対応する搬出口である。
このような構成によれば、冷却専用庫５ｂ、冷却加温庫５ｃ及び冷却加温庫５ｄの各前面に対向する空気層３５は仕切部材３７、３７にて仕切られるので、二枚の透明ガラス３３、３４間の空気層３５内における熱の対流が阻止される。
【００２８】
特に、仕切部材３７は樹脂材料にて成形されているので、仕切部材３７自体を伝導する熱の移動も最小限に抑えられる。これにより、商品収納庫５内の商品陳列効果の向上とコストの低減を図りつつ、隣接する冷却専用庫５ｂと冷却加温庫５ｃ、或いは、冷却加温庫５ｃと冷却加温庫５ｄ間の熱リークを極めて有効に防止若しくは抑制し、断熱性能の向上を図ることが可能となる。
【００２９】
また、仕切部材３７内には乾燥剤４９が充填されており、仕切部材３７にはその長手方向に渡って隙間４８が形成されているので、二枚の透明ガラス３３、３４間の空気層３５内の水分を乾燥剤４９により隙間４８から吸収して、曇りや結露の発生を未然に回避することが可能となる。
特に、隙間４８にて相対向する仕切部材３７の壁５３ａ、５３ｂの厚さを、当該隙間４８に向けて徐々に薄くなる尖形状としたので、隙間４８の両壁の先端は線に近い極めて小さな面積で対向するかたちとなり、樹脂で成形された仕切部材３７自体に成形誤差や熱による収縮が生じ、隙間４８の両壁の先端が隙間４８を狭める方向に変位したとしても、隙間４８全体が閉塞されてしまう危険性を最小限に抑えることが可能となる。これにより、断熱性能の向上を図りつつ、空気層３５内の水分吸収効果を良好に維持することができるようになる。
【００３０】
また、仕切部材３７にはスペーサ５６を取り付け、このスペーサ５６の介在部５６ｂを隙間４８の一部に介在させたので、前述の如き仕切部材３７の成形誤差や収縮が生じても、少なくともスペーサ５６の周囲においては隙間４８が確保されるようになる。従って、空気層３５内の水分吸収効果を一層確実に維持することができるようになる。
【００３１】
尚、上記実施例では本発明を自動販売機に適用したが、それに限らず、商品を陳列販売するショーケースなどにも本発明は有効である。
【００３２】
【発明の効果】
以上詳述した如く本発明によれば、断熱扉を二枚の透明板にて構成すると共に、これら透明板間に空気層を形成し、加温庫の前面に対向する空気層と冷却庫の前面に対向する空気層との間を仕切る仕切部材を透明板間に設けたので、二枚の透明板間の空気層内における熱の対流が阻止される。
【００３３】
特に、仕切部材は樹脂材料にて成形されているので、仕切部材自体を伝導する熱の移動も最小限に抑えられる。
従って、本発明によれば商品収納庫内の商品陳列効果の向上とコストの低減を図りつつ、隣接する加温庫と冷却庫間の熱リークを極めて有効に防止若しくは抑制し、断熱性能の向上を図ることが可能となるものである。
【００３４】
請求項２の発明によれば、上記に加えて仕切部材内に乾燥剤を充填すると共に、この仕切部材にはその長手方向に渡って隙間を形成したので、二枚の透明板間の空気層内の水分を乾燥剤により隙間から吸収して、曇りや結露の発生を未然に回避することが可能となる。
特に、隙間にて相対向する仕切部材の壁厚を、当該隙間に向けて徐々に薄くなる形状としたので、隙間の両壁の先端は線に近い極めて小さな面積で対向するかたちとなる。従って、樹脂で成形された仕切部材自体に成形誤差や熱による収縮が生じ、両壁の先端が隙間を狭める方向に変位したとしても、隙間全体が閉塞されてしまう危険性を最小限に抑えることが可能となる。これにより、断熱性能の向上を図りつつ、空気層内の水分吸収効果を良好に維持することができるようになるものである。
【００３５】
請求項３の発明によれば、上記に加えて仕切部材には、隙間の一部に介在するスペーサを設けたので、前述の如き仕切部材の成形誤差や収縮が生じても、少なくともスペーサの周囲においては隙間が確保されるようになる。従って、空気層内の水分吸収効果を一層確実に維持することができるようになるものである。
請求項４の発明によれば、上記に加えてスペーサは弾性薄板から構成され、仕切部材の隙間内に位置する介在部と、仕切部材内の乾燥剤中に埋設される埋設部と、この埋設部の一部をその端部から介在部に向けて斜めに延在する折曲線にて鈍角で折曲することにより形成された折曲部とを備えているので、埋設部側から隙間内にスペーサを挿入することにより、折曲部はその弾性にて徐々に隙間の延在方向に変形されてそのまま仕切部材内に挿入されると共に、介在部は隙間内に配置されるようになる。
【００３６】
従って、スペーサを仕切部材に極めて容易に取り付けることができるようになる。
特に、折曲部は仕切部材内に入った後、当初の折曲位置に復元するが、このとき折曲部は埋設部の端部から介在部に向けて斜めに延在する折曲線にて折曲されており、仕切部材の長手方向及び隙間の開口方向に所定の投影面積を持つことになるので、その後は乾燥剤にて安定的に保持され、脱落や位置ずれなどの不都合が生じる危険性を未然に回避することができるようになるものである。
【図面の簡単な説明】
【図１】本発明の実施例としての自動販売機の正面図である。
【図２】図１の自動販売機の縦断側面図である。
【図３】図１の自動販売機の平断面図である。
【図４】前面扉を除く図１の自動販売機の正面図である。
【図５】図３のＸ、Ｙ部分の拡大図である。
【図６】図５の仕切部材の平断面図である。
【図７】図６のＡ−Ａ線断面図である。
【図８】図６のスペーサの正面図である。
【図９】図８のスペーサの側面図である。
【図１０】図８のスペーサの平面図である。
【図１１】スペーサを仕切部材に取り付ける手順を説明する図である。
【符号の説明】
１  自動販売機
３  前面扉
４  断熱扉
５  商品収納庫
５ｂ  冷却専用庫
５ｃ、５ｄ  冷却加温庫
１７  商品ディスプレイ
２９、３０  区画壁
３３、３４  透明ガラス（透明板）
３５  空気層
３７  仕切部材
４８  隙間
４９  乾燥剤
５６  スペーサ
５６ａ  埋設部
５６ｂ  介在部
５６ｃ  折曲部
【図１】
0003757486.tif 000002
【図２】
0003757486.tif 000003
【図３】
0003757486.tif 000004
【図４】
0003757486.tif 000005
【図５】
0003757486.tif 000006
【図６】
0003757486.tif 000007
【図７】
0003757486.tif 000008
【図８】
0003757486.tif 000009
【図９】
0003757486.tif 000010
【図１０】
0003757486.tif 000011
【図１１】
0003757486.tif 000012